(57)【要約】【課題】カッター組立体の軽量化を図りながらその剛性を効果的に上げることができるとともに、カッターの摺動用クリアランスを容易に調整することができ、もって、操作性を向上させ得て、カッターの切れ味の低下にも対応することのできるヘッジトリマーを提供する。【解決手段】カッター組立体２０における上下のカッターサポート３１、３２に、角筒状スペーサ４４と第１ボルト４５とを備えた、剛性を増大させるための締込部４０が相互に所定間隔をあけて複数設けられるとともに、隣り合う締込部４０−４０間に、上下のカッターサポート３１−３２間の離隔距離を調整するための第２ボルト５２を備えた調整部５０が少なくとも１つ設けられている。【選択図】図２
2020025505.tif 000002
【特許請求の範囲】
【請求項１】
駆動源が配在された本体ハウジングにその基端側が位置せしめられて、長手方向に沿って相対的に逆方向に往復移動せしめられる細長基板部を有する上下のカッターと、該カッターを支持しながらその往復移動を案内すべく、それらを挟むように長手方向にそれぞれが一体的に延びた板状の上下のカッターサポートとで構成されるカッター組立体を備え、前記上下のカッターの細長基板部に間隔をあけて突設された切刃を擦り合わせるようにされたヘッジトリマーであって、
前記上下のカッターサポート間の離隔距離を保つべく、前記カッターに設けられた第１長穴に相対摺動自在に嵌挿されて前記上下のカッターサポート間に介装されるスペーサと、前記上下のカッターサポートのうちの一方側から前記第１長穴に嵌挿された前記スペーサを通して前記上下のカッターサポートのうちの他方側に設けられたねじ部に螺合して前記上下のカッターサポートを前記スペーサに締付固定するための第１ボルトとを備えた締込部が、前記カッター組立体における前記上下のカッターサポートに、相互に間隔をあけて複数設けられるとともに、
隣り合う前記締込部間に、前記上下のカッターサポートのうちの一方側から前記カッターに設けられた第２長穴を通して前記上下のカッターサポートのうちの他方側に設けられたねじ部に螺合して前記上下のカッターサポート間の離隔距離を調整するための第２ボルトを備えた調整部が少なくとも１つ設けられていることを特徴とするヘッジトリマー。
【請求項２】
前記カッター組立体における前記カッターサポート間において、最も基端側に位置する切刃と最も先端側に位置する切刃との間を概略２等分して先端側半分と基端側半分とした場合に、前記締込部に対する前記調整部の数の割合は、前記基端側半分より前記先端側半分の方が大きいことを特徴とする請求項１に記載のヘッジトリマー。
【請求項３】
前記カッター組立体における前記カッターサポート間において、最も基端側に位置する切刃と最も先端側に位置する切刃との間を概略２等分して先端側半分と基端側半分とした場合に、前記先端側半分にある前記調整部が介在する前記締込部間の距離は、前記基端側半分にある前記調整部が介在する前記締込部間の距離より、または前記調整部が介在しない前記締込部間の距離より広いことを特徴とする請求項１に記載のヘッジトリマー。
【請求項４】
前記カッター組立体における前記カッターサポート間において、最も基端側に位置する切刃と最も先端側に位置する切刃との間を概略３等分して先端側から基端側に向かって順次、前部、中間部、後部とした場合、前記中間部に前記調整部が設けられていることを特徴とする請求項１乃至３のいずれか一項に記載のヘッジトリマー。
【請求項５】
前記カッター組立体における前記カッターサポート間において、最も基端側に位置する切刃と最も先端側に位置する切刃との間を概略３等分して先端側から基端側に向かって順次、前部、中間部、後部とした場合、前記前部に前記調整部が設けられていることを特徴とする請求項１乃至３のいずれか一項に記載のヘッジトリマー。
【請求項６】
駆動源が配在された本体ハウジングにその基端側が位置せしめられて、長手方向に沿って相対的に逆方向に往復移動せしめられる細長基板部を有する上下のカッターと、該カッターを支持しながらその往復移動を案内すべく、それらを挟むように長手方向にそれぞれが一体的に延びた板状の上下のカッターサポートとで構成されるカッター組立体を備え、前記上下のカッターの細長基板部に間隔をあけて突設された切刃を擦り合わせるようにされたヘッジトリマーであって、
前記カッター組立体に、
前記上下のカッターサポート間の離隔距離を保つべく、前記カッターに設けられた第１長穴に相対摺動自在に嵌挿されて前記上下のカッターサポート間に介装されるスペーサと、前記上下のカッターサポートのうちの一方側から前記第１長穴に嵌挿された前記スペーサを通して前記上下のカッターサポートのうちの他方側に設けられたねじ部に螺合して前記上下のカッターサポートを前記スペーサに締付固定するための第１ボルトとを備えた締込部が設けられるとともに、
前記上下のカッターサポートのうちの一方側から前記カッターに設けられた第２長穴を通して前記上下のカッターサポートのうちの他方側に設けられたねじ部に螺合して前記上下のカッターサポート間の離隔距離を調整するための第２ボルトを備えた調整部が設けられ、
前記カッター組立体における前記カッターサポート間において、最も基端側に位置する切刃と最も先端側に位置する切刃との間を概略２等分して先端側半分と基端側半分とした場合に、前記締込部に対する前記調整部の数の割合は、前記基端側半分より前記先端側半分の方が大きいことを特徴とするヘッジトリマー。
【請求項７】
前記カッター組立体における前記カッターサポート間において、最も基端側に位置する切刃と最も先端側に位置する切刃との間を概略３等分して先端側から基端側に向かって順次、前部、中間部、後部とした場合、前記中間部は、前記締込部と前記調整部を備えることを特徴とする請求項６に記載のヘッジトリマー。
【請求項８】
前記カッター組立体における前記カッターサポート間において、最も基端側に位置する切刃と最も先端側に位置する切刃との間を概略３等分して先端側から基端側に向かって順次、前部、中間部、後部とした場合、前記締込部に対する前記調整部の割合は、前記後部より前記前部の方が大きいことを特徴とする請求項６に記載のヘッジトリマー。
【請求項９】
前記上下のカッターの一つが、前記上下のカッターサポートの一つに動作不能に固定されていることを特徴とする請求項１乃至８のいずれか一項に記載のヘッジトリマー。
【請求項１０】
前記上下のカッターの一つと前記上下のカッターサポートの一つとが一体形成されていることを特徴とする請求項１乃至８のいずれか一項に記載のヘッジトリマー。
【請求項１１】
前記カッターサポートは、前記カッターの略全長分に被さるように、長手方向にそれぞれ一体的に延びていることを特徴とする請求項１乃至８のいずれか一項に記載のヘッジトリマー。
【発明の詳細な説明】
【技術分野】
【０００１】
本発明は、細長い上下のカッターをその長手方向に沿って相対的に逆方向に往復移動させてそれらに設けられた切刃を擦り合わせることにより刈り込みや剪定等を行うようにされたヘッジトリマーに関する。
【背景技術】
【０００２】
ヘッジトリマーとして、駆動源が配備された本体ハウジングと、該本体ハウジングにその基端側が片持ち支持された細長いカッター組立体とを備えたものが知られている。カッター組立体は、本体ハウジングにその基端側が位置せしめられて、長手方向に沿って相対的に逆方向に往復移動せしめられる細長基板部を有する上下一対のカッターと、該カッターを支持しながらその往復移動を案内すべく、それらの一部ないし全長分を挟むように長手方向にそれぞれが一体的に延びた板状の上下一対のカッターサポートとで構成され、前記上下のカッターの細長基板部に所定の間隔をあけて突設された切刃を擦り合わせることにより刈り込みや剪定等を行うようにされている。
【０００３】
このようなヘッジトリマーにおいては、例えば特許文献１等にも見られるように、上下のカッターの摺動用クリアランス確保等のため、上下のカッターサポートの厚み方向にねじ込まれるボルト及び筒状スペーサを備えた締込部がカッター組立体に複数箇所設けられているものがある。
【０００４】
詳細には、前記締込部は、上下のカッターの摺動用クリアランス確保等のため、すなわち、上下のカッターサポート間の離隔距離を上下のカッターの合計厚みより大きく保つべく、上下のカッターに設けられた長穴に相対摺動自在に嵌挿されて上下のカッターサポート間に介装される筒状スペーサと、上下のカッターサポートのうちの一方側から前記長穴に嵌挿された筒状スペーサ内を通して上下のカッターサポートのうちの他方側に設けられたねじ部（雌ねじ部、ナット等）に螺合して前記上下のカッターサポートを前記筒状スペーサに締付固定するためのボルトとを備える。
【０００５】
このように、カッター組立体に、ボルト及び筒状スペーサを備えた締込部を設けることにより、上下のカッターサポートが筒状スペーサを介して一体化し、締込部が竹における節のように働くので、軽量化を図りながら、カッター組立体の剛性を上げることができる。
【０００６】
一方、上記のようなヘッジトリマーにおいては、上下のカッターは、長手方向に沿って相対的に逆方向に往復摺動せしめられるので、稼働時間が長くなるに従って、カッター（及びそれが摺接する部分）が厚み方向に摩耗し、上下のカッターの摺動用クリアランスが広がり過ぎて、カッターの切れ味が低下してしまう。
【０００７】
そこで、従来より、例えば特許文献２等にも見られるように、カッターを挟む上下の押さえ部材（カッターサポート、ワッシャ）のうちの一方側からカッターに設けられた長穴を通して上下の押さえ部材のうちの他方側に設けられたねじ部（雌ねじ部、ナット等）に螺合して、上下のカッターの摺動用クリアランス、すなわち、上下の押さえ部材間の離隔距離を調整（通常は短く）するためのボルトを備えた調整部が設けられているものがある。
【先行技術文献】
【特許文献】
【０００８】
【特許文献１】実開平７−２４０２２号公報
【特許文献２】特許第４７５７７８４号公報
【発明の概要】
【発明が解決しようとする課題】
【０００９】
前記特許文献１に所載のヘッジトリマーの如くに、上下のカッターと上下のカッターサポートとで構成されたカッター組立体に、ボルト及び筒状スペーサを備えた締込部を設けることにより、締込部が竹における節のように働くので、軽量化を図りながら、カッター組立体の剛性を上げることができる。
【００１０】
しかしながら、締込部に筒状スペーサが存在しているので、カッターが厚み方向に摩耗しても該カッターの摺動用クリアランス（上下のカッターサポート間の離隔距離）を調整することはできず、したがって、カッターの切れ味の低下には対応することができない。
【００１１】
また、前記特許文献２に所載のヘッジトリマーでは、カッター組立体に、カッターの摺動用クリアランスを調整するための調整部が設けられていることに加えて、ボルト及び筒状スペーサ（カラー）を備えた前記締込部（に類似した構成の横方向規制部）が基端側と先端側に設けられ、それらの間に前記調整部が設けられている。
【００１２】
しかしながら、かかるヘッジトリマーでは、下側のカッターサポートは短尺で基端部側のみしか存在せず、また、長手方向中間部には前記締込部が設けられておらず、さらに先端側の締込部を構成する上下の押さえ部材のうちの下側のものはワッシャで構成されているので、締込部が竹の節のようには働かず、カッター組立体の剛性が不足し、剪定等の作業時にしなりが大きくなって操作性が良いとは言えなかった。
【００１３】
本発明は、上述事情に鑑みてなされたもので、その目的とするところは、カッター組立体の軽量化を図りながらその剛性を効果的に上げることができるとともに、カッターの摺動用クリアランスを容易に調整することができ、もって、操作性を向上させ得て、カッターの切れ味の低下にも対応することのできるヘッジトリマーを提供することにある。
【課題を解決するための手段】
【００１４】
上記目的を達成すべく、本発明に係るヘッジトリマーの一態様は、駆動源が配在された本体ハウジングにその基端側が位置せしめられて、長手方向に沿って相対的に逆方向に往復移動せしめられる細長基板部を有する上下のカッターと、該カッターを支持しながらその往復移動を案内すべく、それらを挟むように長手方向にそれぞれが一体的に延びた板状の上下のカッターサポートとで構成されるカッター組立体を備え、前記上下のカッターの細長基板部に間隔をあけて突設された切刃を擦り合わせるようにされ、前記上下のカッターサポート間の離隔距離を保つべく、前記カッターに設けられた第１長穴に相対摺動自在に嵌挿されて前記上下のカッターサポート間に介装されるスペーサと、前記上下のカッターサポートのうちの一方側から前記第１長穴に嵌挿された前記スペーサを通して前記上下のカッターサポートのうちの他方側に設けられたねじ部に螺合して前記上下のカッターサポートを前記スペーサに締付固定するための第１ボルトとを備えた締込部が、前記カッター組立体における前記上下のカッターサポートに、相互に間隔をあけて複数設けられるとともに、隣り合う前記締込部間に、前記上下のカッターサポートのうちの一方側から前記カッターに設けられた第２長穴を通して前記上下のカッターサポートのうちの他方側に設けられたねじ部に螺合して前記上下のカッターサポート間の離隔距離を調整するための第２ボルトを備えた調整部が少なくとも１つ設けられていることを特徴としている。
【００１５】
好ましい態様では、前記カッター組立体における前記カッターサポート間において、最も基端側に位置する切刃と最も先端側に位置する切刃との間を概略２等分して先端側半分と基端側半分とした場合に、前記締込部に対する前記調整部の数の割合は、前記基端側半分より前記先端側半分の方が大きくされる。
【００１６】
他の好ましい態様では、前記カッター組立体における前記カッターサポート間において、最も基端側に位置する切刃と最も先端側に位置する切刃との間を概略２等分して先端側半分と基端側半分とした場合に、前記先端側半分にある前記調整部が介在する前記締込部間の距離は、前記基端側半分にある前記調整部が介在する前記締込部間の距離より、または前記調整部が介在しない前記締込部間の距離より広くされる。
【００１７】
他の好ましい態様では、前記カッター組立体における前記カッターサポート間において、最も基端側に位置する切刃と最も先端側に位置する切刃との間を概略３等分して先端側から基端側に向かって順次、前部、中間部、後部とした場合、前記中間部に前記調整部が設けられる。
【００１８】
他の好ましい態様では、前記カッター組立体における前記カッターサポート間において、最も基端側に位置する切刃と最も先端側に位置する切刃との間を概略３等分して先端側から基端側に向かって順次、前部、中間部、後部とした場合、前記前部に前記調整部が設けられる。
【００１９】
本発明に係るヘッジトリマーの他の一態様は、駆動源が配在された本体ハウジングにその基端側が位置せしめられて、長手方向に沿って相対的に逆方向に往復移動せしめられる細長基板部を有する上下のカッターと、該カッターを支持しながらその往復移動を案内すべく、それらを挟むように長手方向にそれぞれが一体的に延びた板状の上下のカッターサポートとで構成されるカッター組立体を備え、前記上下のカッターの細長基板部に間隔をあけて突設された切刃を擦り合わせるようにされ、前記カッター組立体に、前記上下のカッターサポート間の離隔距離を保つべく、前記カッターに設けられた第１長穴に相対摺動自在に嵌挿されて前記上下のカッターサポート間に介装されるスペーサと、前記上下のカッターサポートのうちの一方側から前記第１長穴に嵌挿された前記スペーサを通して前記上下のカッターサポートのうちの他方側に設けられたねじ部に螺合して前記上下のカッターサポートを前記スペーサに締付固定するための第１ボルトとを備えた締込部が設けられるとともに、前記上下のカッターサポートのうちの一方側から前記カッターに設けられた第２長穴を通して前記上下のカッターサポートのうちの他方側に設けられたねじ部に螺合して前記上下のカッターサポート間の離隔距離を調整するための第２ボルトを備えた調整部が設けられ、前記カッター組立体における前記カッターサポート間において、最も基端側に位置する切刃と最も先端側に位置する切刃との間を概略２等分して先端側半分と基端側半分とした場合に、前記締込部に対する前記調整部の数の割合は、前記基端側半分より前記先端側半分の方が大きいことを特徴としている。
【００２０】
好ましい態様では、前記カッター組立体における前記カッターサポート間において、最も基端側に位置する切刃と最も先端側に位置する切刃との間を概略３等分して先端側から基端側に向かって順次、前部、中間部、後部とした場合、前記中間部は、前記締込部と前記調整部を備える。
【００２１】
他の好ましい態様では、前記カッター組立体における前記カッターサポート間において、最も基端側に位置する切刃と最も先端側に位置する切刃との間を概略３等分して先端側から基端側に向かって順次、前部、中間部、後部とした場合、前記締込部に対する前記調整部の割合は、前記後部より前記前部の方が大きくされる。
【００２２】
他の好ましい態様では、前記上下のカッターの一つが、前記上下のカッターサポートの一つに動作不能に固定される。
【００２３】
他の好ましい態様では、前記上下のカッターの一つと前記上下のカッターサポートの一つとが一体形成される。
【００２４】
他の好ましい態様では、前記カッターサポートは、前記カッターの略全長分に被さるように、長手方向にそれぞれ一体的に延びる。
【発明の効果】
【００２５】
本発明に係るヘッジトリマーでは、カッター組立体に締込部が設けられていることにより、上下のカッターサポートがスペーサを介して一体化し、締込部が竹における節のように働くので、軽量化を図りながら、カッター組立体の剛性を上げることができ、それによって、剪定等の作業時における不所望なしなりを抑えることができ、操作性等を向上させることができる。
【００２６】
また、好ましくは、隣り合う締込部間には調整部が設けられるので、上下のカッターが厚み方向に摩耗し、上下のカッターの摺動用クリアランスが広がり過ぎて、カッターの切れ味が低下した際には、前記調整部の第２ボルトを締付方向に回してカッターサポートを変形させ、それらの間の離隔距離を小さくすればよい。この場合、カッター組立体を分解する必要はなく、調整部の第２ボルトや止めナット等を回すだけでよいので、上下のカッターサポート間の離隔距離の調整を簡単容易に行うことができ、作業効率、利便性が高められる。
【００２７】
また、最も基端側に位置する切刃と最も先端側に位置する切刃との間を概略３等分した場合の特に中間部には、剛性増大とカッターサポート間の離隔距離の調整の両方が要望されるが、本発明のヘッジトリマーのカッター組立体においては、好ましくは、その中間部に締込部と調整部とを設けて、それらの要望に応えることができる。
【００２８】
また、通常、カッターの摩耗は先端部側ほど激しくなるので、先端部側ほどカッターサポート間の離隔距離を大きく縮めることが要求されるのに対し、基端部側の剛性が不足すると、しなり度合いが不所望に大きくなりやすいので、基端部側には強い剛性が要求されるが、本発明のヘッジトリマーのカッター組立体では、好ましくは、基端部側には締込部が多く設けられ、先端部側には調整部が多く設けられるので、かかる要求を満たすことができ、また、好ましくは、基端部側では、剛性を上げるために、締込部間の距離を短くして、先端部側では、離隔距離を調整する際のカッターサポートの変形を和らげるために、締込部間の距離を長くして、かかる要求を満たすことができる。
【図面の簡単な説明】
【００２９】
【図１】本発明に係るヘッジトリマーの一実施形態のカッター組立体を示す斜視図。
【図２】図１に示されるカッター組立体の分解斜視図。
【図３】図１に示されるカッター組立体を示し、（Ａ）は上面図、（Ｂ）は下面図。
【図４】（Ａ）は図３のＡ−Ａ矢視線に従う拡大断面図、（Ｂ）は図３のＢ−Ｂ矢視線に従う拡大断面図。
【図５】図１に示されるカッター組立体の側面図。
【図６】（Ａ）は図５のＣ−Ｃ矢視線に従う拡大断面図、（Ｂ）は図５のＤ−Ｄ矢視線に従う拡大断面図。
【図７】図５のＥ−Ｅ矢視線に従う拡大断面図。
【図８】カッターが厚み方向に摩耗してカッターの摺動用クリアランスを調整した状態を誇張して示すカッター組立体の部分拡大側面図。
【図９】締込部に用いられる第１ボルトの頭部形状と調整部に用いられる第２ボルトの頭部形状とが相違しているカッター組立体の一例を示す下面図。
【図１０】（Ａ）、（Ｂ）、（Ｃ）は、それぞれカッター組立体における締込部と調整部との配置例を示す上面図。
【発明を実施するための形態】
【００３０】
以下、本発明の実施形態を図面を参照しながら説明する。
【００３１】
図１は、本発明に係るヘッジトリマーの一実施形態のカッター組立体を示す斜視図、図２は、図１に示されるカッター組立体の分解斜視図、図３（Ａ）、（Ｂ）は、それぞれ図１に示されるカッター組立体の上面図、下面図である。
【００３２】
本実施形態のヘッジトリマー１は、全体は図示されていないが、特許文献１、２等に所載のものと同様に、駆動源やギアユニット、操作レバー類が設けられた後ハンドルや前ハンドル等が配備された本体ハウジングを有し、該本体ハウジングに、細長いカッター組立体２０の基端部２０ｕ側が片持ち支持されている。
【００３３】
カッター組立体２０は、相互に（相対的に）摺動自在に対接する上下一対のカッター２１、２２と、該カッター２１、２２を支持しながらその往復移動を案内すべく、それらの略全長分を挟むように長手方向にそれぞれが一体的に延びた板状の上下一対のカッターサポート３１、３２とを含んで構成されている。
【００３４】
詳細には、上下一対のカッター２１、２２は、本体ハウジングにその基端部２０ｕ側が位置せしめられて、長手方向に沿って相対的に逆方向に往復移動せしめられる細長基板部２３を有する。細長基板部２３の基端部２０ｕには、長手方向に所定の間隔をあけて比較的広幅で所定長の取付支持用の基端長穴４９が２箇所形成されている。また、細長基板部２３における基端部２０ｕより前方側には、その長手方向に沿って所定の間隔をあけて左右に交互に切刃２５が突設され、これらの切刃２５を擦り合わせることにより刈り込みや剪定等を行うようにされている。
【００３５】
上下のカッター２１、２２における切刃２５が設けられた部分、すなわち、最も基端部２０ｕ側に位置する切刃２５’（後端切刃２５’と称す）と最も先端部２０ｖ側に位置する切刃２５’’（前端切刃２５’’と称す）との間には、比較的広幅の第１長穴４５と比較的狭幅の第２長穴５５とが所定の配列態様（後述）をもって形成されている。なお、前記基端長穴４９と前記第１長穴４５は幅が同じであり、また、前記基端長穴４９、第１長穴４５、及び第２長穴５５の長さは、それぞれ前記上下一対のカッター２１、２２の往復移動を許容する長さとなっており、ここでは同一長となっている。
【００３６】
上側のカッターサポート３１は、軽量化のために例えばアルミ等の軽金属製で、図４〜図６に示される如くに、横断面台形状部を有する比較的厚手の板状物とされ、その基端部２０ｕには、前記２つの取付支持用の基端長穴４９に対応して雌ねじ部３１ｂが２箇所設けられるとともに、上側のカッターサポート３１における、後端切刃２５’と前端切刃２５’’との間の部分には、長手方向に沿って一定間隔Ｌａで雌ねじ部３１ａが所定数（ここでは１３箇所）設けられている。また、上側のカッターサポート３１の下面側には、滑りシート板３３が嵌め込まれて固定されている。滑りシート板３３には、前記雌ねじ部３１ｂ、３１ａに対応する位置に通し穴３３ｂ、３３ａが形成されている。
【００３７】
一方、下側のカッターサポート３２は、軽量化のためや変形し易くするために比較的薄手の板金製とされ、上側のカッターサポート３１に形成された雌ねじ部３１ｂ、３１ａに対応した位置に通し穴３２ｂ、３２ａが形成されている。また、通し穴３２ｂ、３２ａ間には、軽量化を図るため適宜に肉抜き開口３２ｅが形成されている。
【００３８】
上記上下のカッター２１、２２とカッターサポート３１、３２とを含んで構成される本実施形態のカッター組立体２０においては、基端部２０ｕに２箇所の取付用締込部４６（後述）が設けられ、基端部２０ｕより前方の、後端切刃２５’と前端切刃２５’’との間の部分には、締込部４０と調整部５０とが計１３箇所、所定の配列態様をもって等間隔Ｌａで設けられている。
【００３９】
前記締込部４０は、上下のカッター２１、２２の摺動用クリアランスを確保するため、すなわち、図４（Ａ）に示される如くに、上下のカッターサポート３１（滑りシート板３３）−３２間の離隔距離Ｄを上下のカッター２１、２２の合計厚みＴより大きく（Ｄ＞Ｔ）保つべく、上下のカッター２１、２２にそれぞれ設けられた第１長穴４５に相対摺動自在に嵌挿されて上下のカッターサポート３１−３２間に介装される平面視矩形で挿通丸穴を有する角筒状スペーサ４４と、下側のカッターサポート３２側から、通し穴３２ａ−第１長穴４５に嵌挿された角筒状スペーサ４４内の挿通丸穴−通し穴３３ａを通して上側カッターサポート３１に設けられた雌ねじ部３１ａにねじ込まれる（螺合せしめられる）、上下のカッターサポート３１、３２を角筒状スペーサ４４に締付固定するための第１ボルト４２とを備える。
【００４０】
一方、前記調整部５０は、下側のカッターサポート３２側から、通し穴３２ａ−上下のカッター２１、２２にそれぞれ設けられた第２長穴５５−通し穴３３ａを通して上側のカッターサポート３１に設けられた雌ねじ部３１ａにねじ込まれる（螺合せしめられる）、上下のカッターサポート３１−３２間の離隔距離Ｄを調整するための第２ボルト５２を備える。第２ボルト５２は、上側のカッターサポート３１に設けられた雌ねじ部３１ａから上側に突き出され、この突き出された部分に止めナット５６がねじ込まれて、いわゆるダブルナット効果により、上下のカッターサポート３１−３２間の離隔距離Ｄが調整された状態で第２ボルト５２が弛まないようにされる。
【００４１】
また、基端部２０ｕに２箇所設けられた取付用締込部４６は、カッター組立体２０の基端部２０ｕを本体ハウジングに取り付けて片持ち支持させるためのもので、上記締込部４０と同様に、上下のカッター２１、２２の摺動用クリアランスを確保するため、すなわち、上下のカッターサポート３１−３２間の離隔距離Ｄを上下のカッター２１、２２の合計厚みＴより大きく（Ｄ＞Ｔ）保つべく、上下のカッター２１、２２に２箇所設けられた基端長穴４９に相対摺動自在に嵌挿されて上下のカッターサポート３１−３２間に介装される平面視矩形の角筒状スペーサ４８と、下側のカッターサポート３２側から、通し穴３２ｂ−前記基端長穴４９に嵌挿された角筒状スペーサ４８内−通し穴３３ｂを通して上側カッターサポート３１に設けられた雌ねじ部３１ｂにねじ込まれる（螺合せしめられる）、上下のカッターサポート３１、３２の基端部２０ｕを前記角筒状スペーサ４８に締付固定するための、比較的長尺の基端ボルト４７とを備える。
【００４２】
次に、上記カッター組立体２０における締込部４０と調整部５０との配列態様を説明する。本実施形態のカッター組立体２０においては、基端部２０ｕより前方の、後端切刃２５’と前端切刃２５’’との間の部分に、締込部４０と調整部５０とが、後端切刃２５’側から前端切刃２５’’側に向かって、締込部４０−調整部５０−締込部４０−調整部５０−調整部５０−締込部４０−調整部５０−調整部５０−締込部４０−調整部５０−調整部５０−調整部５０−締込部４０の順番で長手方向に沿って設けられている。
【００４３】
すなわち、最も基端部２０ｕ側（後端切刃２５’側）に位置する第１の隣り合う締込部４０−４０間には、調整部５０が１箇所設けられ、これに続く第２の隣り合う締込部４０−４０間には、調整部５０が２箇所設けられ、さらにこれに続く第３の隣り合う締込部４０−４０間にも、調整部５０が２箇所設けられ、最も先端部２０ｖ側（先端切刃２５’’側）に位置する第４の隣り合う締込部４０−４０間には、調整部５０が３箇所設けられている。
【００４４】
言い換えれば、基端部２０ｕ側には締込部４０が多く設けられ、先端部２０ｖ側には調整部５０が多く設けられている。また、最も基端側に位置する後端切刃２５’と最も先端側に位置する前端切刃２５’’との間を概略２等分して先端側半分と基端側半分とした場合に、締込部４０に対する調整部５０の数の割合は、基端側半分より先端側半分の方が大きくされている。さらに、最も基端側に位置する後端切刃２５’と最も先端側に位置する前端切刃２５’’との間を概略３等分して先端側から基端側に向かって順次、前部、中間部、後部とした場合、締込部４０に対する調整部５０の数の割合は、前記後部より前記中間部の方が大きく、さらに、前記後部及び前記中間部より前記前部の方が大きくされていて、また、前記中間部は締込部４０と調整部５０の両方を備えている。
【００４５】
上記のように、カッター組立体２０に適宜に締込部４０を設けることにより、上下のカッターサポート３１、３２が角筒状スペーサ４４を介して一体化し、締込部４０が竹における節のように働くので、軽量化を図りながら、カッター組立体２０の剛性を上げることができ、それによって、剪定等の作業時における不所望なしなりを抑えることができ、操作性等を向上させることができる。
【００４６】
また、隣り合う締込部４０間には調整部５０が設けられているので、図８に示される如くに、上下のカッター２１、２２が厚み方向に摩耗し、上下のカッター２１、２２の摺動用クリアランスＳが広がり過ぎて、カッター２１、２２の切れ味が低下した際には、前記調整部５０の第２ボルト５２を締付方向に回してカッターサポート３１、３２を変形させ、それらの間の離隔距離を小さくすればよい。この場合、カッター組立体２０を分解する必要はなく、調整部５０の第２ボルト５２や止めナット５６を回すだけでよいので、上下のカッターサポート３１−３２間の離隔距離の調整を簡単容易に行うことができ、作業効率、利便性が高められる。
【００４７】
また、最も基端側に位置する後端切刃２５’と最も先端側に位置する前端切刃２５’’との間を概略３等分した場合の特に中間部には、剛性増大とカッターサポート３１−３２間の離隔距離の調整の両方が要望されるが、本実施形態のカッター組立体２０においては、その中間部に複数箇所の締込部４０と調整部５０とを設けて、それらの要望に応えることができる。
【００４８】
また、通常、ヘッジトリマー１の先端部２０ｖ側を基端部２０ｕ側を軸にして旋回させる作業を行うことや、作業中、先端部２０ｖ側の使用頻度が高い等の理由で、カッター２１、２２の摩耗は先端部２０ｖ側ほど激しくなるので、先端部２０ｖ側ほどカッターサポート３１−３２間の離隔距離を大きく縮めることが要求されるのに対し、基端部２０ｕ側の剛性が不足すると、しなり度合いが不所望に大きくなりやすいので、基端部２０ｕ側には強い剛性が要求されるが、本実施形態のカッター組立体２０では、基端部２０ｕ側には締込部４０が多く設けられ、先端部２０ｖ側には調整部５０が多く設けられるので、かかる要求を満たすことができ、また、基端部２０ｕ側では、剛性を上げるために、締込部４０−４０間の距離を短くして、先端部２０ｖ側では、カッターサポート３１−３２間の離隔距離を調整する際のカッターサポート３２の変形を和らげるために、締込部４０−４０間の距離を長くして、かかる要求を満たすことができる。
【００４９】
また、締込部４０の構成部材である角筒状スペーサ４４は、図７に示される如くに、その左右両側面４４ｃにカッター２１、２２に設けられた第１長穴４５の内周両側面４５ｃが摺動自在に面接触するようにされているので、カッター２１、２２の横振れ等を抑えることができるとともに、調整部５０の第２長穴５５に挿通せしめられている第２ボルト５２の磨耗等も抑えることができ、これによって、良好な切れ味を維持しながら耐久性等を向上させることができる。
【００５０】
また、ヘッジトリマー１の作業では、生垣を整えるように切断する作業や、高い位置の小枝を切断する作業が多く、およびヘッジトリマー１はチェーンソー等と比較して丈が長いので、軽量化は重要なファクターである。
【００５１】
［ヘッジトリマー１のカッター組立体２０の変形例］
次に、カッター組立体２０の変形例等を説明する。
【００５２】
上記実施形態においては、図３（Ｂ）に示される如くに、締込部４０に用いられる第１ボルト４２の頭部と調整部５０に用いられる第２ボルト５２の頭部とは同形状であったが、離隔距離Ｄの調整時や保守点検時等において、締込部４０と調整部５０とを間違えにくくするために、図９に示される如くに、第１ボルト４２と第２ボルト５２として、頭部形状が相違するものを用いるようにしても良い（図９に示す例では、第１ボルト４２の頭部形状が上記実施形態のものとは相違する）。また、第１ボルト４２と第２ボルト５２として、外径等が相違するものを用いるようにしても良い。
【００５３】
また、カッター組立体２０における締込部４０と調整部５０との配列態様は、上記実施形態のものに限られないことは勿論であり、例えば、図１０（Ａ）、（Ｂ）、（Ｃ）に示される如くの配列態様としてもよい。このように、離隔距離Ｄの調整時や保守点検時等において、締込部４０と調整部５０とを間違えにくくしても良い。
【００５４】
図１０（Ａ）に示されるカッター組立体２０Ａでは、締込部４０対調整部５０が１：１の割合で交互に配置され、その両端は締込部４０とされている。
【００５５】
図１０（Ｂ）に示されるカッター組立体２０Ｂでは、締込部４０対調整部５０が１：２の割合で交互に配置され、その両端は締込部４０とされている。
【００５６】
図１０（Ｃ）に示されるカッター組立体２０Ｃでは、締込部４０対調整部５０が１：３の割合で交互に配置され、その両端は締込部４０とされている。
【００５７】
また、上記実施形態においては、上下のカッターサポート３１、３２は、上下のカッター２１、２２の略全長分に被さる長さとされているが、カッターサポート３１、３２の長さは、上下のカッター２１、２２の一部（例えば、基端部２０ｕ側から半分くらい）に被さる長さとしてもよい。
【００５８】
さらに、上記実施形態では、上下のカッター２１、２２の両方が動作するタイプを例示して説明したが、本発明は、上下のカッター２１、２２の一つが動作しないタイプのヘッジトリマーにも適用可能である。すなわち、前記上下のカッター２１、２２の一つが、前記上下のカッターサポート３１、３２の一つに動作不能に固定されてもの、あるいは、前記上下のカッター２１、２２の一つと前記上下のカッターサポート３１、３２の一つとが一体形成されているもの等であってもよい。
【符号の説明】
【００５９】
１  ヘッジトリマー
２０  カッター組立体
２０ｕ  基端部
２０ｖ  先端部
２１  上側のカッター
２２  下側のカッター
２３  細長基板部
２５  切刃
２５’  後端切刃
２５’’  前端切刃
３１  上側のカッターサポート
３１ａ、３１ｂ  雌ねじ部
３２  下側のカッターサポート
３２ａ、３２ｂ  通し穴
３２ｅ  肉抜き開口
３３  滑りシート板
３３ａ、３３ｂ  通し穴
４０  締込部
４２  第１ボルト
４４  角筒状スペーサ（スペーサ）
４４ｃ  左右両側面
４５  第１長穴
４５ｃ  内周両側面
４６  取付用締込部
４７  基端ボルト
４８  角筒状スペーサ（スペーサ）
４９  基端長穴
５０  調整部
５２  第２ボルト
５５  第２長穴
５６  止めナット
Ｄ  上下のカッターサポート間の離隔距離
Ｔ  上下のカッターの合計厚み
【図１】
2020025505.tif 000003
【図２】
2020025505.tif 000004
【図３】
2020025505.tif 000005
【図４】
2020025505.tif 000006
【図５】
2020025505.tif 000007
【図６】
2020025505.tif 000008
【図７】
2020025505.tif 000009
【図８】
2020025505.tif 000010
【図９】
2020025505.tif 000011
【図１０】
2020025505.tif 000012